(57)【特許請求の範囲】
【請求項１】
外部制御装置により制御可能な画像入力装置であって、
画像入力手段と、
ユーザ入力を受け付けるユーザ入力手段と、
前記ユーザ入力手段により受け付けたユーザ入力に基づいて前記画像入力手段に対するリクエストを作成するリクエスト作成手段と、
前記リクエスト作成手段により作成されたリクエストを前記外部制御装置に送信する送信手段と、
前記リクエスト作成手段により作成されたリクエストを実行する処理手段と、
リクエストの種類に対応する送信先の変更を指示するリクエストルート変更命令を前記外部制御装置から受信する受信手段と、
リクエストの種類と、送信先として、前記処理手段または前記送信手段のいずれかを前記リクエストの種類に対応させたリクエストルートデータを記憶するルート記憶手段と、
前記ルート記憶手段に記憶されたリクエストルートデータを参照して、前記リクエスト作成手段により作成されたリクエストを、前記送信手段または前記処理手段のいずれかに送信すると共に、前記ルート記憶手段に記憶されたリクエストルートデータの内、前記受信手段によって受信されたリクエストルート変更命令により指示された前記リクエストの種類に対応する送信先を変更するルート決定手段と
を有し、
前記リクエストルート変更命令を受信するまで、前記ルート記憶手段は、前記リクエストの種類に対応する送信先を全て処理手段としたリクエストルートデータを記憶しており、
前記受信手段は、更に、前記ルート決定手段により前記送信手段を介して前記外部制御装置へ送信されたリクエストに対するコマンドを前記外部制御装置から受信し、
前記処理手段は、更に、前記受信手段によって受信されたコマンドを実行することを特徴とする画像入力装置。
【請求項２】
前記ルート記憶手段は、前記受信手段が前記外部制御装置から第１のリクエストルート変更命令を受信した後に第２のリクエストルート変更命令を受信すると、前記第１のリクエストルート変更命令に指示されたリクエストの種類に対応する送信先に変更した前記リクエストルートデータを、前記第２のリクエストルート変更命令に指示されたリクエストの種類に対応する送信先に更に変更することを特徴とする請求項１に記載の画像入力装置。
【請求項３】
前記外部制御装置との接続状態を検知する検知手段と、
前記検知手段により前記外部制御装置と接続されていないと検知された場合に、リクエストを前記処理手段に送信するように前記ルート決定手段を制御する手段と
を更に有することを特徴とする請求項１または２に記載の画像入力装置。
【請求項４】
外部制御装置により制御可能であって、画像入力手段と、ユーザ入力に基づいて作成されたリクエストを前記外部制御装置に送信する送信手段と、当該リクエストを実行する処理手段と、前記外部制御装置からコマンドを受信する受信手段と、リクエストの種類と、送信先として、前記処理手段または前記送信手段のいずれかを前記リクエストの種類に対応させたリクエストルートデータを記憶するルート記憶手段とを有する画像入力装置の制御方法であって、
ユーザ入力を受け付けるユーザ入力工程と、
前記ユーザ入力工程で受け付けたユーザ入力に基づいて前記画像入力手段に対するリクエストを作成するリクエスト作成工程と、
前記受信手段によって受信されたコマンドがリクエストの種類に対応する送信先の変更を指示するリクエストルート変更命令である場合に、前記ルート記憶手段に記憶されたリクエストルートデータの内、該リクエストルート変更命令により指示された前記リクエストの種類に対応する送信先を変更する変更工程と、
前記ルート記憶手段に記憶されたリクエストルートデータを参照して、前記リクエスト作成工程により作成されたリクエストを、前記送信手段または前記処理手段のいずれかに送信するルート決定工程と、
前記ルート決定工程により前記送信手段を介して前記リクエストが前記外部制御装置へ送信された場合に、該リクエストに対するコマンドを前記受信手段により前記外部制御装置から受信する受信工程と、
前記受信工程によって受信されたコマンドを前記処理手段に実行させる第１の実行工程と、
前記ルート決定工程により前記リクエストが前記処理手段に送信された場合に、該リクエストを前記処理手段に実行させる第２の実行工程とを有し、
前記リクエストルート変更命令を受信するまで、前記ルート記憶手段は、前記リクエストの種類に対応する送信先を全て処理手段としたリクエストルートデータを記憶していることを特徴とする画像入力装置の制御方法。
【請求項５】
前記外部制御装置との接続状態を検知する検知工程と、
前記検知工程により前記外部制御装置と接続されていないと検知された場合に、リクエストを前記処理手段に送信するように制御する工程と
を更に有することを特徴とする請求項４に記載の画像入力装置の制御方法。
【請求項６】
コンピュータに、請求項４に記載の画像入力装置の制御方法の各工程を実行させるためのプログラムを格納したことを特徴とするコンピュータが読み取り可能な記憶媒体。
【発明の詳細な説明】
【０００１】
【発明の属する技術分野】
本発明は画像入力装置に関し、装置単独での使用及びパソコンに接続してその動作をパソコンから制御による使用が共に可能な画像入力装置、及びその制御の切替え方法に関する。
【０００２】
【従来の技術】
従来の画像入力装置では、パネルやリモコン及びカメラスイッチなどのユーザ入力手段からユーザ入力を受けると、システム内部でリクエストに変換され、リクエストを処理して実行が行われる。
【０００３】
このリクエストの処理方法の違いにより、ローカル制御モードとホスト制御モードの２モードがある。
【０００４】
ローカル制御モードでは、リクエストは全て、装置内部におけるリクエスト解釈部において解釈され、その解釈にしたがって処理が実行される。
【０００５】
一方、ホスト制御モードにおいては、パネルやリモコン及びカメラスイッチなどのユーザ入力によるリクエストは全て、装置内部での解釈が行われずに、接続されているホストコンピュータに通知され、ホストコンピュータから対応するコマンドを受信して初めて処理が実行される。
【０００６】
図８は従来の画像入力装置においてローカル制御モードのときの処理を説明するためのブロック図、図９は従来の画像入力装置においてホスト制御モードのときの処理を説明するためのブロック図、図１０は従来の画像入力装置におけるユーザ入力処理の動作を説明するためのフローチャート、そして、図１１は従来の画像入力装置において、ホストコンピュータからコマンド受信した場合の動作を説明するためのフローチャートである。
【０００７】
装置の起動時にはローカル制御モードであるため、制御モード判断部２０５はローカル制御モードであると判断する。この時の動作を図８及び図１０を参照して説明する。
【０００８】
まず、ステップＳ２０１においてリモコン受信部２０２からユーザ入力を受け付けると、ステップＳ２０２においてユーザ入力変換部２０４でユーザ入力に対応するリクエストが作成される。リクエストは制御モード判断部２０５に送られるが、最初はローカル制御モードで起動しているので（ステップＳ２０３でＮＯ）、リクエストはリクエスト解釈部２０６に送られる。次のステップＳ２０４において、リクエスト解釈部２０６はリクエストを内部命令に変換し、内部命令実行部２０７に送る。そしてステップＳ２０５において内部命令実行部２０７で処理が実行される。なお、後述の手順によりホスト制御モードへ移行した後は、内部での実行を行わずに、ステップＳ２０２で作成したリクエストをステップＳ２０６でホストコンピュータへ送信する。
【０００９】
次に、ローカル制御モードからホスト制御モードへの切り替え制御、ホスト制御モードからローカル制御モードへの切り替え制御、及びホスト制御モードでの制御について説明する。
【００１０】
まず、ホスト制御モードへの切り替え制御について、図８及び図１１を参照して説明する。ステップＳ２１０において、ホストコンピュータからホストインタフェース２１０からコマンド受信部２０９介してコマンドを受信すると、ステップＳ２１１で受信コマンドはコマンド解釈部２１１に送られ、内部命令に変換される。コマンド解釈部２１１ではコマンドがホスト制御モード移行コマンドか否かを判断し、ホスト制御モード移行コマンドのときは（ステップＳ２１２でＹＥＳ）、対応する内部命令を作成し、内部命令実行部２０７に送る。そして、ステップＳ２１３で内部命令実行部２０７は制御モード判断部２０５にホスト制御モードへの移行を指示し、制御モード判断部２０５はホスト制御モードに移行し処理を終了する。このホスト制御モードへの移行に伴い、図９に示すリンク状態に変更される。
【００１１】
ローカル制御モードへ移行する場合について、図９及び図１１を参照して説明する。ステップＳ２１０において受信したコマンドが、ステップＳ２１２においてホスト制御モード移行コマンドではないと判断されると、ステップＳ２１４に進んでローカル制御モード移行コマンドであるか否かを判断する。ローカル制御モード移行コマンドのときは、ステップＳ２１５へ進み、ステップＳ２１１でコマンド解釈部２１１により作成された内部命令を内部命令実行部２０７に送る。内部命令実行部２０７は制御モード判断部２０５にローカル制御モード移行を指示し、制御モード判断部２０５はローカル制御モードに移行して処理を終了する。これ以降、図１０のステップＳ２０１でユーザ入力を受け付けると、前述したステップＳ２０４及びＳ２０５の処理を行うことになる。
【００１２】
また、図１１のステップＳ２１４においてローカル制御モード移行コマンドでもないと判断された場合には、ステップＳ２１６で制御モード判断部２０５により、現在の制御モードがホスト制御モードか否かの判断を行い、ホスト制御モードでないときにはコマンドを無視してそのまま処理を終了する。ホスト制御モードであるときにはステップＳ２１７に進み、ステップＳ２１１でコマンド解釈部２１１により作成されたコマンドを内部命令実行部２０７に送る。そして、内部命令実行部２０７で処理が実行され、終了する。
【００１３】
【発明が解決しようとする課題】
しかし上述のシステムでは、ホスト制御モードのときに、ホストコンピュータが知る必要の無いリクエストもすべてホストコンピュータに通知されていたため、ホストコンピュータ側の処理が不必要に複雑になっていた。
【００１４】
また、ホスト制御モードの場合、全てのユーザ入力が
【００１５】
（１）リクエストをホストに通知する
（２）ホストコンピュータがリクエストを解釈する
（３）ホストコンピュータがコマンドを送信する
（４）コマンドを受信して処理を実行する
という手順を踏むため、ユーザ入力から処理実行までに大きなタイムラグが生じていた。
本発明は上記問題点を鑑みてなされたものであり、ユーザ入力されてから対応する処理実行までにかかる時間を短縮すると共に、ホストコンピュータでの処理を削減することを目的とする。
【００１６】
【課題を解決するための手段】
上記目的を達成するために、外部制御装置により制御可能な本発明の画像入力装置は、画像入力手段と、ユーザ入力を受け付けるユーザ入力手段と、前記ユーザ入力手段により受け付けたユーザ入力に基づいて前記画像入力手段に対するリクエストを作成するリクエスト作成手段と、前記リクエスト作成手段により作成されたリクエストを前記外部制御装置に送信する送信手段と、前記リクエスト作成手段により作成されたリクエストを実行する処理手段と、リクエストの種類に対応する送信先の変更を指示するリクエストルート変更命令を前記外部制御装置から受信する受信手段と、リクエストの種類と、送信先として、前記処理手段または前記送信手段のいずれかを前記リクエストの種類に対応させたリクエストルートデータを記憶するルート記憶手段と、前記ルート記憶手段に記憶されたリクエストルートデータを参照して、前記リクエスト作成手段により作成されたリクエストを、前記送信手段または前記処理手段のいずれかに送信すると共に、前記ルート記憶手段に記憶されたリクエストルートデータの内、前記受信手段によって受信されたリクエストルート変更命令により指示された前記リクエストの種類に対応する送信先を変更するルート決定手段とを有し、前記リクエストルート変更命令を受信するまで、前記ルート記憶手段は、前記リクエストの種類に対応する送信先を全て処理手段としたリクエストルートデータを記憶しており、前記受信手段は、更に、前記ルート決定手段により前記送信手段を介して前記外部制御装置へ送信されたリクエストに対するコマンドを前記外部制御装置から受信し、前記処理手段は、更に、前記受信手段によって受信されたコマンドを実行する。
【００１７】
また、外部制御装置により制御可能であって、画像入力手段と、ユーザ入力に基づいて作成されたリクエストを前記外部制御装置に送信する送信手段と、当該リクエストを実行する処理手段と、前記外部制御装置からコマンドを受信する受信手段と、リクエストの種類と、送信先として、前記処理手段または前記送信手段のいずれかを前記リクエストの種類に対応させたリクエストルートデータを記憶するルート記憶手段とを有する画像入力装置の本発明の制御方法は、ユーザ入力を受け付けるユーザ入力工程と、前記ユーザ入力工程で受け付けたユーザ入力に基づいて前記画像入力手段に対するリクエストを作成するリクエスト作成工程と、前記受信手段によって受信されたコマンドがリクエストの種類に対応する送信先の変更を指示するリクエストルート変更命令である場合に、前記ルート記憶手段に記憶されたリクエストルートデータの内、該リクエストルート変更命令により指示された前記リクエストの種類に対応する送信先を変更する変更工程と、前記ルート記憶手段に記憶されたリクエストルートデータを参照して、前記リクエスト作成工程により作成されたリクエストを、前記送信手段または前記処理手段のいずれかに送信するルート決定工程と、前記ルート決定工程により前記送信手段を介して前記リクエストが前記外部制御装置へ送信された場合に、該リクエストに対するコマンドを前記受信手段により前記外部制御装置から受信する受信工程と、前記受信工程によって受信されたコマンドを前記処理手段に実行させる第１の実行工程と、前記ルート決定工程により前記リクエストが前記処理手段に送信された場合に、該リクエストを前記処理手段に実行させる第２の実行工程とを有し、前記リクエストルート変更命令を受信するまで、前記ルート記憶手段は、前記リクエストの種類に対応する送信先を全て処理手段としたリクエストルートデータを記憶していることを特徴とする。
【００２２】
また、本発明の好適な一様態によれば、前記画像入力装置は前記外部制御装置との接続状態を検知する検知手段と、前記検知手段により前記外部制御装置と接続されていないと検知された場合に、リクエストを前記処理手段に送信するように前記ルート決定手段を制御する手段とを更に有する。
【００２４】
【発明の実施の形態】
以下、添付図面を参照して本発明の好適な実施の形態を詳細に説明する。
【００２５】
図１は、本発明の実施の形態における画像処理装置の処理を説明するためのブロック図、また、図２は、本発明の実施の形態における画像入力装置の構成を示すブロック図である。
【００２６】
図２において、１００は本実施の形態における画像入力装置であり、主に、カメラヘッド部２００とシステム制御部３００とにより構成されている。また、２２は画像入力装置１００を制御可能なホストコンピュータである。
【００２７】
カメラヘッド部２００は、レンズ部１２、絞り１３、ＣＣＤなどの撮像部１４、二重相関サンプリング処理及びオートゲイン制御を行うＣＤＳ／ＡＧＣ部１５、Ａ／Ｄ変換器１６、信号処理部１７、各部の動作タイミングを制御するためのタイミング信号発生器（ＴＧ）１８、カメラヘッド２００全体を制御するカメラヘッド制御部、システム制御部３００との通信を行うシステム制御部Ｉ／Ｆ２０を有する。
【００２８】
一方、システム制御部３００は、リモコン受信部１との通信を行うためのリモコン受信部インタフェース３、パネル部２との通信を行うためのパネル部Ｉ／Ｆ４、カメラヘッド部Ｉ／Ｆ５、タイマー６、演算処理装置（ＣＰＵ）７、一時的な記憶装置（ＲＡＭ）８、装置内部の記憶装置（ＲＯＭ）９、ＵＳＢインタフェースなどのホストコンピュータ２２との通信を行うためのホストＩ／Ｆ１０を有し、システムバス１１に接続されている。
【００２９】
また、２３はリモコン、１はリモコン受信部、２はパネル部、２１はＵＳＢケーブルである。
【００３０】
ユーザが例えばリモコン２３のボタンを押すと、リモコン受信部１でボタン押下のリモコン信号が受信され、リモコン受信部インタフェース３に受信が通知される。
【００３１】
ホストコンピュータ２２へのリクエストの送信は、ＵＳＢインタフェース１０により、ＵＳＢケーブル２１を介してＵＳＢのインタラプト転送を使用して送信される。また、ホストコンピュータ２２からのコマンド受信は、ＵＳＢのコントロール転送を使用して、ＵＳＢＩ／Ｆ１０により受信される。
【００３２】
カメラヘッド部２００への制御指示は、カメラヘッド部Ｉ／Ｆ５、システム制御部Ｉ／Ｆ２０を介してカメラヘッド制御部１９に送られ、レンズ部１２と絞り１３への制御が行われる。
【００３３】
ビデオ画像は信号処理部１７からカメラヘッド制御部１９、システム制御部インタフェース２０、カメラヘッド部Ｉ／Ｆ５を経由して、カメラヘッド部２００からシステム制御部へデジタル信号で送られる。
【００３４】
ホストコンピュータ２２への画像転送は、ＵＳＢのバルク転送を使用して、ＵＳＢＩ／ＦなどのホストＩ／Ｆ１０によりＵＳＢケーブル２１を介して行われる。
【００３５】
次に、上記構成を有する画像入力装置１００の処理を、図１乃至図６を参照して説明する。
【００３６】
本実施の形態においては、パネル入力部１０１、リモコン受信部１０２、カメラスイッチ入力部１０３から入力されたリクエストはユーザ入力変換部１０４により図５に示すようなリクエストＩＤと、入力元ＩＤと、パラメータとからなるフォーマットに変換され、リクエストルートフラグテーブル１０６を用いてリクエストの送信先に関する振り分けを行う。図６にリクエストＩＤ、コマンドＩＤ、コマンド解釈の対応を示し、図７にリクエストルートフラグテーブル１０６の一例を示す。
【００３７】
装置の起動時には図７に示すリクエストルートフラグテーブル１０６のリクエストルートフラグは全て内部解釈実行（００）に初期設定されている。
【００３８】
まず、図３のステップＳ１０１においてパネル入力部１０１、リモコン受信部１０２、カメラスイッチ入力部１０３からユーザ入力を受け付けると、ステップＳ１０２においてユーザ入力変換部１０４はユーザ入力に対応するリクエストを作成する。例えばユーザ入力がリモコン２３によるズームイン指示（ＺｏｏｍＴｅｌｅボタン押下）の場合、リクエストＩＤ＝０２、入力元＝０１、パラメータ＝０１のリクエストが作成される。
【００３９】
作成されたリクエストはリクエストルート決定部１０５に送られ、ステップＳ１０３でリクエストルート決定部１０５は送信されたリクエストの内、リクエストＩＤ（上記例では０２）とリクエストルートフラグテーブル１０６に保持されているフラグ情報を参照して、リクエストＩＤに対応する送信先を決定する（上記例では００）。初期状態では、上述の通り図７に示すリクエストルートは全て内部解釈実行（００）に設定されているため、ステップＳ１０４ではＮＯとなる。従って、リクエストルート決定部１０５はリクエストをリクエスト変換部１０７に送信し、ステップＳ１０５においてリクエスト変換部１０７は図６に示す情報に基づいてリクエストをコマンドＩＤ（＝０２）に変換してコマンド解釈部１０８に送信する。ステップＳ１０６においてコマンド解釈部１０８はコマンドＩＤ（＝０２）を解釈して内部命令に変換し（Ｔｅｌｅ方向Ｚｏｏｍ開始）、内部命令実行部１０９に送る。これにより内部命令実行部１０９はステップＳ１０７において処理（ここではＴｅｌｅ方向へのズーム制御）を実行する。
【００４０】
なお、後述する手順でリクエストルートフラグテーブル１０６が変更され、入力されたリクエストＩＤがホストＰＣ通知（０１）に変更された後は、ステップＳ１０４でリクエストルート決定部１０５によりホストＰＣ通知であると判断されると、ステップＳ１０８に進み、ユーザ入力されたリクエストはリクエスト送信部１１０及びホストインタフェース１１２を介してホストコンピュータ２２へ送信される。例えば、ユーザ入力がカメラスイッチ入力部１０３のキャプチャーボタン（シャッターボタン）の押下であって（リクエストＩＤ＝０１、入力元ＩＤ＝０３、パラメータ＝０１）、リクエストルートフラグ１０６が図７に示すように更新されていた場合にはリクエストＩＤ＝０１に対応するリクエストルートフラグは０１（ホストＰＣ通知）であるため、入力されたリクエストはホストコンピュータ２２に送信されることになる。
【００４１】
また、図４のステップＳ１１０においてホストコンピュータ２２からホストインタフェース１１２を介してコマンドが送られると、コマンド受信部１１１で受信し、受信コマンドはコマンド解釈部１０８に送られる。ステップＳ１１１においてコマンド解釈部１０８により受信コマンドを内部命令に解釈して内部命令実行部１０９に送信する。ステップＳ１１２では内部命令がリクエストルート変更命令か否かを判断し、そうでない場合（ステップＳ１１２でＮＯ）には内部命令を実行し（ステップＳ１１４）、処理を終了する。また、リクエストルート変更命令の場合には（ステップＳ１１２でＹＥＳ）ステップＳ１１３に進み、リクエストルート決定部１０５にリクエストルートの変更を指示し、リクエストルート決定部１０５は、リクエストルートフラグテーブル１０６上の対応するフラグを更新する。
【００４２】
なお、上記の処理は装置内部のＲＯＭ９に保存されており、ＣＰＵ７によって処理命令が読み出されて実行される。処理の途中結果はすべてＲＡＭ８に格納される。
【００４３】
リクエストルートフラグテーブル１０６は、起動時の設定はＲＯＭ９に保存されており、装置起動後にＲＡＭ８に格納され、以後ＲＡＭ８上でフラグの更新が行われる。
【００４４】
上記の通り本実施の形態によれば、ユーザ入力に対応するリクエストを選別して、ホストコンピュータに送信する必要のあるリクエストをホストコンピュータに送信し、それ以外のリクエストをそのまま内部処理することにより、ユーザ入力されてから対応する処理実行までにかかる時間を短縮すると共に、ホストコンピュータでの処理を削減することができる。
【００４５】
なお、上記説明ではホストコンピュータとの接続がされている場合について説明したが、ホストコンピュータとの接続が解除された場合、不図示の接続検知手段によりホストコンピュータとの接続が解除されたと検知されると、リクエストルート決定部を制御して、ユーザ入力変換部１０４から入力されるリクエストを全てリクエスト変換部１０７に送信するように構成する。または、リクエストルートフラグテーブルを初期化するように構成しても良い。
【００４６】
【他の実施形態】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４８】
本発明を上記記憶媒体に適用する場合、その記憶媒体には、先に説明した図３および図４に示すフローチャートに対応するプログラムコード及び図６及び図７に示すデータが格納されることになる。
【００４９】
【発明の効果】
上記説明したように本発明によれば、ユーザ入力されてから対応する処理実行までにかかる時間を短縮すると共に、ホストコンピュータでの処理を削減することができる。
【図面の簡単な説明】
【図１】本発明の実施の形態における画像入力装置における処理を説明するためのブロック図である。
【図２】本発明の実施の形態における画像入力装置の構成を示すブロック図である。
【図３】本発明の実施の形態におけるユーザ入力処理の流れを示すフローチャートである。
【図４】本発明の実施の形態における受信コマンド処理の流れを示すフローチャートである。
【図５】本発明の実施の形態におけるリクエストフォーマットを示す図である。
【図６】本発明の実施の形態におけるユーザ入力に対するリクエスト、コマンド、内部動作の関係を示す表を示す図である。
【図７】本発明の実施の形態におけるリクエストルートフラグテーブルの例を示す図である。
【図８】従来の画像入力装置においてローカル制御モードのときの処理を説明するためのブロック図である。
【図９】従来の画像入力装置においてホスト制御モードのときの処理を説明するためのブロック図である。
【図１０】従来の画像入力装置におけるユーザ入力処理の動作を説明するためのフローチャートである。
【図１１】従来の画像入力装置におけるホスト入力処理を説明するためのフローチャートである。
【符号の説明】
１  リモコン受信部
２  パネル部
３  リモコン受信部インタフェース
４  パネル部インタフェース
５  カメラヘッド部インタフェース
６  タイマー
７  ＣＰＵ
８  ＲＡＭ
９  ＲＯＭ
１０  ホストインタフェース
１１  内部バス
１２  レンズ部
１３  絞り
１４  ＣＣＤ
１５  ＣＤＳ／ＡＧＣ部
１６  Ａ／Ｄ変換器
１７  信号処理部
１８  タイミング信号発生器
１９  カメラヘッド制御部
２０  システム制御部インタフェース
２１  ＵＳＢケーブル
２２  ホストコンピュータ
２３  リモコン
【図１】
0004416275.tif 000002
【図２】
0004416275.tif 000003
【図３】
0004416275.tif 000004
【図４】
0004416275.tif 000005
【図５】
0004416275.tif 000006
【図６】
0004416275.tif 000007
【図７】
0004416275.tif 000008
【図８】
0004416275.tif 000009
【図９】
0004416275.tif 000010
【図１０】
0004416275.tif 000011
【図１１】
0004416275.tif 000012